(57)【要約】【課題】使用者が生産性優先又は消耗品消費抑制優先を選択できるようにした画像形成装置、制御装置及びプログラムを提供する。【解決手段】画像形成装置は、現像剤像が転写される被転写部材１８と、前記被転写部材１８に現像剤像を転写させる複数の転写部２８と、連続して印刷すべきそれぞれのジョブ毎にいずれの転写部２８を前記被転写部材１８から離すか否かを制御する第１制御状態と、連続して印刷すべきそれぞれの記録媒体毎にいずれの転写部２８を前記被転写部材１８から離すか否かを制御する第２制御状態と、の選択を受け付ける選択受付手段と、を有する画像形成装置である。【選択図】図２
2019035898.tif 000002
【特許請求の範囲】
【請求項１】
現像剤像が転写される被転写部材と、
前記被転写部材に現像剤像を転写させる複数の転写部と、
連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、の選択を受け付ける選択受付手段と、
を有する画像形成装置。
【請求項２】
現像剤像が転写される被転写部材と、
前記被転写部材に現像剤像を転写させる複数の転写部と、
連続して印刷すべきそれぞれのジョブ毎にいずれの転写部を前記被転写部材から離すか否かを制御する第１制御状態と、連続して印刷すべき複数のジョブに渡っていずれの転写部を前記被転写部材から離すか否かを制御する第３制御状態と、の選択を受け付ける選択受付手段と、
を有する画像形成装置。
【請求項３】
現像剤像が転写される被転写部材と、
前記被転写部材に現像剤像を転写させる複数の転写部と、
連続して印刷すべきそれぞれの記録媒体毎にいずれの転写部を前記被転写部材から離すか否かを制御する第２制御状態と、連続して印刷すべき複数のジョブに渡っていずれの転写部を前記被転写部材から離すか否かを制御する第３制御状態と、の選択を受け付ける選択受付手段と、
を有する画像形成装置。
【請求項４】
現像剤像が転写される被転写部材と、
前記被転写部材に現像剤像を転写させる複数の転写部と、
連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、連続して印刷すべき複数のジョブに渡っていずれの転写部を前記被転写部材から離すか否かを制御する第３制御状態と、の選択を受け付ける選択受付手段と、
を有する画像形成装置。
【請求項５】
前記選択受付手段が受け付ける第３制御状態は、複数のジョブで使用する現像剤色に対応する転写部を前記被転写部材に接触させるように制御する請求項２、３又は４記載の画像形成装置。
【請求項６】
前記選択受付手段が受け付ける第３制御状態は、複数のジョブで使用しない現像剤色に対応する転写部を前記被転写部材から離すように制御する請求項２、３又は４記載の画像形成装置。
【請求項７】
前記選択受付手段が受け付ける第３制御状態は、複数のジョブで使用する現像剤色の論理和に対応する転写部を前記被転写部材に接触させるように制御する請求項５記載の画像形成装置。
【請求項８】
前記選択受付手段が受け付ける第３制御状態は、複数のジョブで使用する現像剤色の否定論理和に対応する転写部を前記被転写部材から離すように制御する請求項６記載の画像形成装置。
【請求項９】
記録媒体が白紙である場合、当該記録媒体の前に印刷される記録媒体の制御状態が設定される請求項１、３又は４記載の画像形成装置。
【請求項１０】
ジョブの先頭記録媒体が白紙である場合、当該ジョブ単位の制御状態が設定される請求項１、３又は４いずれか記載の画像形成装置。
【請求項１１】
両面印刷の場合は、記録媒体の表面と裏面とに使用する現像剤色のの論理和に対応する転写部を前記被転写部材に接触させるように設定される請求項１、３又は４記載の画像形成装置。
【請求項１２】
前記被転写部材に転写される現像剤像を形成する現像剤像形成部をさらに有する請求項１から１１いずれか記載の画像形成装置。
【請求項１３】
連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、の選択を受け付ける選択受付手段と、
前記選択受付手段により受け付けられた第１制御状態又は第２制御状態で制御されるように画像形成装置に指示する指示手段と、
を有する制御装置。
【請求項１４】
連続して印刷すべきそれぞれのジョブ毎にいずれの転写部を前記被転写部材から離すか否かを制御する第１制御状態と、連続して印刷すべき複数のジョブに渡っていずれの転写部を被転写部材から離すか否かを制御する第３制御状態と、の選択を受け付ける選択受付手段と、
前記選択受付手段により受け付けられた第１制御状態又は第３制御状態で制御されるように画像形成装置に指示する指示手段と、
を有する制御装置。
【請求項１５】
連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付ける選択受付手段と、
前記選択受付手段により受け付けられた第２制御状態又は第３制御状態で制御されるように画像形成装置に指示する指示手段と、
を有する制御装置。
【請求項１６】
連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付ける選択受付手段と、
前記選択受付手段により受け付けられた第１制御状態、第２制御状態又は第３制御状態で制御されるように画像形成装置に指示する指示手段と、
とを有する制御装置。
【請求項１７】
連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、の選択を受け付けるステップと、
受け付けられた第１制御状態又は第２制御状態で制御されるように画像形成装置に指示するステップと、
をコンピュータに実行させるためのプログラム。
【請求項１８】
連続して印刷すべきそれぞれのジョブ毎にいずれの転写部を前記被転写部材から離すか否かを制御する第１制御状態と、連続して印刷すべき複数のジョブに渡っていずれの転写部を被転写部材から離すか否かを制御する第３制御状態と、の選択を受け付けるステップと、
受け付けられた第１制御状態又は第３制御状態で制御されるように画像形成装置に指示するステップと、
をコンピュータに実行させるためのプログラム。
【請求項１９】
連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付けるステップと、
前記選択受付手段により受け付けられた第２制御状態又は第３制御状態で制御されるように画像形成装置に指示するステップと、
をコンピュータに実行させるためのプログラム。
【請求項２０】
連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付けるステップと、
受け付けられた第１制御状態、第２制御状態又は第３制御状態で制御されるように画像形成装置に指示するステップと、
をコンピュータに実行させるためのプログラム。
【発明の詳細な説明】
【技術分野】
【０００１】
本発明は、画像形成装置、制御装置及びプログラムに関する。
【背景技術】
【０００２】
特許文献１は、モノクロ印刷モードとカラー印刷モードの切替えを行う印刷モード切替え手段と、印刷ジョブに前記カラー印刷モード若しくは前記モノクロ印刷モードでの印刷処理の指示が含まれている場合、所定回数だけ前記印刷モード切替え手段にモード切替えを指示する切替え指示手段と、該切替え指示手段によって指示されたモードに従って、印刷データに対する印刷処理を行う印刷処理手段と、を備えることを特徴とするカラー画像形成装置を開示する。
【先行技術文献】
【特許文献】
【０００３】
【特許文献１】特開２０００−３１８２２０号公報
【発明の概要】
【発明が解決しようとする課題】
【０００４】
本発明は、使用者が生産性優先又は消耗品消費抑制優先を選択できるようにした画像形成装置、制御装置及びプログラムを提供することを目的としている。
なお、生産性とは、単位時間当たりに印刷できる記録媒体の量であり、記録媒体への印刷速度及び印刷停止時間により決定される。また、消耗品消費には、現像剤の消費ばかりではなく、帯電器、感光体、現像部材、転写部等の摩耗等による消費も含まれる。
【課題を解決するための手段】
【０００５】
請求項１に係る本発明は、現像剤像が転写される被転写部材と、前記被転写部材に現像剤像を転写させる複数の転写部と、連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、の選択を受け付ける選択受付手段と、を有する画像形成装置である。
なお、ジョブとは単数又は複数の記録媒体に印刷させるための印刷対象をいう。
【０００６】
請求項２に係る本発明は、現像剤像が転写される被転写部材と、前記被転写部材に現像剤像を転写させる複数の転写部と、連続して印刷すべきそれぞれのジョブ毎にいずれの転写部を前記被転写部材から離すか否かを制御する第１制御状態と、連続して印刷すべき複数のジョブに渡っていずれの転写部を前記被転写部材から離すか否かを制御する第３制御状態と、の選択を受け付ける選択受付手段と、を有する画像形成装置である。
【０００７】
請求項３に係る本発明は、現像剤像が転写される被転写部材と、前記被転写部材に現像剤像を転写させる複数の転写部と、連続して印刷すべきそれぞれの記録媒体毎にいずれの転写部を前記被転写部材から離すか否かを制御する第２制御状態と、連続して印刷すべき複数のジョブに渡っていずれの転写部を前記被転写部材から離すか否かを制御する第３制御状態と、の選択を受け付ける選択受付手段と、を有する画像形成装置である。
【０００８】
請求項４に係る本発明は、現像剤像が転写される被転写部材と、前記被転写部材に現像剤像を転写させる複数の転写部と、連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、連続して印刷すべき複数のジョブに渡っていずれの転写部を前記被転写部材から離すか否かを制御する第３制御状態と、の選択を受け付ける選択受付手段と、を有する画像形成装置である。
【０００９】
請求項５に係る本発明は、前記選択受付手段が受け付ける第３制御状態は、複数のジョブで使用する現像剤色に対応する転写部を前記被転写部材に接触させるように制御する請求項２、３又は４記載の画像形成装置である。
【００１０】
請求項６に係る本発明は、前記選択受付手段が受け付ける第３制御状態は、複数のジョブで使用しない現像剤色に対応する転写部を前記被転写部材から離すように制御する請求項２、３又は４記載の画像形成装置である。
【００１１】
請求項７に係る本発明は、前記選択受付手段が受け付ける第３制御状態は、複数のジョブで使用する現像剤色の論理和に対応する転写部を前記被転写部材に接触させるように制御する請求項５記載の画像形成装置である。
【００１２】
請求項８に係る本発明は、前記選択受付手段が受け付ける第３制御状態は、複数のジョブで使用する現像剤色の否定論理和に対応する転写部を前記被転写部材から離すように制御する請求項６記載の画像形成装置である。
【００１３】
請求項９に係る本発明は、記録媒体が白紙である場合、当該記録媒体の前に印刷される記録媒体の制御状態が設定される請求項１、３又は４記載の画像形成装置である。
【００１４】
請求項１０に係る本発明は、ジョブの先頭記録媒体が白紙である場合、当該ジョブ単位の制御状態が設定される請求項１、３又は４いずれか記載の画像形成装置である。
【００１５】
請求項１１に係る本発明は、両面印刷の場合は、記録媒体の表面と裏面とに使用する現像剤色のの論理和に対応する転写部を前記被転写部材に接触させるように設定される請求項１、３又は４記載の画像形成装置である。
【００１６】
請求項１２に係る本発明は、前記被転写部材に転写される現像剤像を形成する現像剤像形成部をさらに有する請求項１から１１いずれか記載の画像形成装置である。
【００１７】
請求項１３に係る本発明は、連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、の選択を受け付ける選択受付手段と、前記選択受付手段により受け付けられた第１制御状態又は第２制御状態で制御されるように画像形成装置に指示する指示手段と、を有する制御装置である。
【００１８】
請求項１４に係る本発明は、連続して印刷すべきそれぞれのジョブ毎にいずれの転写部を前記被転写部材から離すか否かを制御する第１制御状態と、連続して印刷すべき複数のジョブに渡っていずれの転写部を被転写部材から離すか否かを制御する第３制御状態と、の選択を受け付ける選択受付手段と、前記選択受付手段により受け付けられた第１制御状態又は第３制御状態で制御されるように画像形成装置に指示する指示手段と、を有する制御装置である。
【００１９】
請求項１５に係る本発明は、連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付ける選択受付手段と、前記選択受付手段により受け付けられた第２制御状態又は第３制御状態で制御されるように画像形成装置に指示する指示手段と、を有する制御装置である。
【００２０】
請求項１６に係る本発明は、連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付ける選択受付手段と、前記選択受付手段により受け付けられた第１制御状態、第２制御状態又は第３制御状態で制御されるように画像形成装置に指示する指示手段と、とを有する制御装置である。
【００２１】
請求項１７に係る本発明は、連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、の選択を受け付けるステップと、受け付けられた第１制御状態又は第２制御状態で制御されるように画像形成装置に指示するステップと、をコンピュータに実行させるためのプログラムである。
【００２２】
請求項１８に係る本発明は、連続して印刷すべきそれぞれのジョブ毎にいずれの転写部を前記被転写部材から離すか否かを制御する第１制御状態と、連続して印刷すべき複数のジョブに渡っていずれの転写部を被転写部材から離すか否かを制御する第３制御状態と、の選択を受け付けるステップと、受け付けられた第１制御状態又は第３制御状態で制御されるように画像形成装置に指示するステップと、をコンピュータに実行させるためのプログラムである。
【００２３】
請求項１９に係る本発明は、連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付けるステップと、前記選択受付手段により受け付けられた第２制御状態又は第３制御状態で制御されるように画像形成装置に指示するステップと、をコンピュータに実行させるためのプログラムである。
【００２４】
請求項２０に係る本発明は、連続して印刷すべきそれぞれのジョブ毎にいずれの転写部を前記被転写部材から離すか否かを制御する第１制御状態と、連続して印刷すべきそれぞれの記録媒体毎にいずれの転写部を前記被転写部材から離すか否かを制御する第２制御状態と、連続して印刷すべき複数のジョブに渡っていずれの転写部を被転写部材から離すか否かを制御する第３制御状態と、の選択を受け付けるステップと、受け付けられた第１制御状態、第２制御状態又は第３制御状態で制御されるように画像形成装置に指示するステップと、をコンピュータに実行させるためのプログラムである。
【発明の効果】
【００２５】
請求項１〜４、１３〜２０のいずれかに係る本発明によれば、使用者が生産性優先又は消耗品消費抑制優先を選択できる。
【００２６】
請求項５に係る本発明によれば、請求項２、３又は４に係る本発明の効果に加えて、ジョブ毎に転写部を被転写部材に接触させる場合と比較して、生産性を高めることができる。
【００２７】
請求項６係る本発明によれば、請求項２、３又は４に係る発明の効果に加えて、全ての転写部を被転写部材に接触させる場合と比較して、消耗品の消費を少なくすることができる。
【００２８】
請求項７に係る本発明によれば、請求項５に係る発明の効果に加えて、無駄無く生産性を高めることができる。
【００２９】
請求項８に係る本発明によれば、請求項６に係る発明の効果に加えて、無駄無く消耗品の消費を少なくすることができる。
【００３０】
請求項９に係る本発明によれば、請求項１、３又は４に係る本発明の効果に加えて、白紙の場合に全ての転写部を被転写部材から離すものと比較して、生産性を落とすことを防止できる。
【００３１】
請求項１０に係る本発明によれば、請求項１、３又は４に係る本発明の効果に加えて、先頭記録媒体が白紙の場合に全ての転写部を被転写部材から離すものと比較して、生産性を落とすことを防止できる。
【００３２】
請求項１１に係る本発明によれば、請求項１、３又は４に係る本発明の効果に加えて、両面印刷の場合、面毎に制御するものと比較して、生産性を落とすことを防止できる。
【００３３】
請求項１２に係る本発明によれば、請求項１から１１にいずれかに係る本発明の効果に加えて、現像剤の消費を少なくすることができる。
【図面の簡単な説明】
【００３４】
【図１】本発明の実施形態に係る画像形成装置を示す構成図である。
【図２】本発明の実施形態に用いた画像形成装置本体の要部を示す側面図である。
【図３】本発明の実施形態に係る制御装置のハードウエアを示すブロック図である。
【図４】本発明の実施形態に係る制御装置のソフトウエアを示すブロック図である。
【図５】本発明の実施形態に係る制御装置の操作表示部の表示画面を示す画面図である。
【図６】本発明の実施形態に係る制御装置において、使用者が制御状態を選択する場合の制御フローを示すフローチャートである。
【図７】本発明の実施形態において、第２制御状態の例を示す説明図である。
【図８】本発明の実施形態において、第３制御状態の例を示す説明図である。
【図９】本発明の実施形態において、第２制御状態の制御フローを示すフローチャートである。
【図１０】本発明の実施形態において、第３制御状態の制御フローを示すフローチャートである。
【発明を実施するための形態】
【００３５】
次に、本発明の実施形態について図面を参照して説明する。
図１には、本発明の実施形態に係る画像形成装置１０の全体が示されている。画像形成１０は、制御装置１２及び画像形成装置本体１４から構成されている。制御装置１２と画像形成装置本体１４とは、例えば有線により接続されている。
【００３６】
制御装置１２は、例えばサーバであり、ジョブを受け付けると、ジョブデータをラスタ―データに変換し、画像形成装置本体１４へ送る。また、制御装置１２は、例えばタッチパネルからなる表示操作部１６を有する。この表示操作部１６で入力された操作設定データにより画像形成装置本体１２が制御されるようになっている。
【００３７】
図２は、画像形成装置本体１２の要部を示す。
画像形成装置本体１２は、中間転写ベルトである被転写部材１８を有する。この被転写部材１８は、複数の支持ロール２０に支持され、図中矢印方向（時計方向）に回転する。この被転写部材１８の下方には、例えば６つの現像剤像形成部２２Ｇ、２２Ｙ、２２Ｍ、２２Ｃ、２２Ｋ、２２Ｓが直列に配置されている。
【００３８】
６つの現像剤像形成部２２Ｇ、２２Ｙ、２２Ｍ、２２Ｃ、２２Ｋ、２２Ｓは、上流側から中央の４つがイエローの現像剤像形成部２２Ｙ、マゼンダの現像剤形成部２２Ｍ、シアンの現像剤形成部２２Ｃ、ブラックの現像剤形成部２２Ｋからなる基本色用である。この基本色の現像剤像形成部２２Ｙ、２２Ｍ、２２Ｃ、２２Ｋの両側には、特殊色用の現像剤像形成部２２Ｇ、２２Ｓが設けられている。例えば上流側の現像剤像形成部２２Ｇは金であり、下流側の現像剤像形成部２２Ｓは銀である。
【００３９】
現像剤像形成部２２Ｇ、２２Ｙ、２２Ｍ、２２Ｃ、２２Ｋ、２２Ｓは、それぞれ同じ構造を有し、図２では現像剤像形成部２２Ｃで代表して番号を付してあるように、それぞれ感光体２４を有する。感光体２４の周囲には、時計方向に現像器２６、帯電器２８及び感光体用清掃装置３０が配置されている。帯電器２８により感光体２４が帯電されると、図示しない露光器からの光により感光体２４に潜像が形成され、形成された潜像が現像器２６により現像される。
【００４０】
一次転写ロール（転写部）２８は、現像剤像形成部２２の感光体２４に被転写部材１８を挟んで対向している。この一次転写ロール２８は、被転写部材１８に接触している場合は、電位により感光体２４上の現像剤を引き付け、現像器２６により現像された現像剤像を被転写部材１８に転写する。被転写部材１８からの転写が終了すると、感光体２４上の現像剤は感光体用清掃装置３０により清掃される。
【００４１】
一次転写ロール２８は、被転写部材１８から離れた位置（リトラクト位置）と被転写部材１８に接触する位置（コンタクト位置）との間で移動する機構を有する。リトラクト位置にあっては、位置転写ロール２８からの押し付けが無くなるので、被転写部材１８は感光体２４から離れる。また、感光体２４、現像器２６及び帯電器２８の回転が停止する。図２の例では、金の現像剤像形成部２２Ｇと銀の現像剤像形成部２２Ｓがリトラクト位置にある。リトラクト位置にある場合は、現像剤形成部が停止されるので、消耗品の消費が抑制される。
【００４２】
二次転写ロール３２は、被転写部材１８の長手方向一端に設けられた支持ロール２０に対向して設けられている。記録媒体は、被転写部材１８と二次転写ロール３４との間に搬送される。二次転写ロール３４は、被転写部材１８により搬送される現像剤像を記録媒体に転写する。図２において、記録媒体は、下方から上方へと搬送される。
【００４３】
被転写部材用清掃装置３４は、被転写部材１８の長手方向他端に設けられた支持ロール２０に対向して設けられている。この被転写部材用清掃装置３４は、二次転写ロール３２の後流側で被転写部材１８に残った現像剤を清掃する。
【００４４】
図３は、制御装置１２のハードウエアを示すブロック図である。
制御装置１２は、ＣＰＵ３６、メモリ３８及び入出力インターフェイス４０を備えている。
【００４５】
ＣＰＵ３６は、メモリ３８に格納された制御プログラムに基づいて予め定められた処理を実行する。
【００４６】
入出力インターフェイス４０は、画像形成装置本体１４及び表示操作部１６に接続され、この入出力インターフェイス４０を介して表示操作部１６で設定された制御状態（制御モード）になるように画像形成装置本体１４を制御する。
【００４７】
ＣＰＵ３６、メモリ３８及び入出力インターフェイス４０との間は制御バス４２を介して接続されている。
【００４８】
次に制御装置１２のソフトウエア構成について説明する。
図４には、制御装置１２の概念的なソフトウエア構成が示されている。
なお、図４において、「部」とは、ソフトウエアを構成する構成要素をいうが、ハードウエアで構成してもよい。
【００４９】
印刷制御部４４は、画像形成装置本体１４から使用可能な現像剤像形成部の数と現像剤の色を取得する。
【００５０】
ジョブ管理部４６は、入力されたジョブデータに基づいて印刷制御部４４に印刷指示を通知する。
【００５１】
選択受付部４８は、使用者が選択した制御モードを印刷制御部４４に通知する。印刷制御部４４は、ジョブ管理部４６から受け付けたジョブを選択受付部４８で受け付けた制御状態で印刷するように画像形成装置本体１４に指示する。
【００５２】
図５は、前述した表示操作部１６に表示される選択画面の一例を示す。
「サーバ」のタブをクリックすると、「カラー白黒混在時の生産性を優先する」領域が表示される。ここで、ボタン５０をクリックすると、「オフ」「オン（標準）」「オン（速度優先）」を選択する選択枝が表示される。
【００５３】
図６は、使用者が制御状態を選択する場合の制御フローを示す。
【００５４】
まずステップＳ１０において、使用者が選択した制御状態を受け付ける。受け付けるのは、「オフ」「オン（標準）」「オン（速度優先）」のいずれかである。
【００５５】
ステップＳ１２においては、ステップＳ１０で受け付けた制御状態を判定する。このステップＳ１２において、「オン（標準）」と判定された場合は、ステップＳ１４に進み、第１制御状態に設定する。第１制御状態は、ジョブ単位で決定されるモードである。即ち、送られたジョブ毎に、ジョブの開始前に、ジョブの各ページに使用される現像剤色を判定し、使用されない現像剤色に対応する転写部は被転写部材から離し、使用される現像剤色に対応する転写部は被転写部材に接触させ、一つのジョブが完了するまでこの状態で固定される。生産性及び消耗品消費抑制のバランスが保たれる。
【００５６】
ステップＳ１２において、「オフ」に設定されたと判定された場合は、ステップＳ１６に進み、第２制御状態に設定する。第２制御状態は、連続して印刷すべきそれぞれの記録媒体毎にいずれの転写部を被転写部材から離すか否かを制御するモードである。
【００５７】
図７は、第２制御状態の例を示す。
なお、+記号がある箇所が転写部を被転写部材に接触させる動作のある箇所である。
【００５８】
ジョブ１の最初の記録媒体１が白黒の場合は現像剤像形成部２２Ｋのみが用いられる。次の記録媒体２がカラーである場合は、現像剤像形成部２２Ｙ、２２Ｍ、２２Ｙに対応する転写部が被転写部材にコンタクトし、現像剤像形成部２２Ｙ、２２Ｍ、２２Ｙ、２２Ｋが用いられる。次の記録媒体３に金が用いられる場合は、現像剤像形成部２２Ｇが加わる。ジョブ１が終了してジョブ２が開始される場合は、一端リセットされ、ジョブ２の最初の記録媒体１が白黒の場合は現像剤像形成部２２Ｋのみが用いられる。次の記録媒体２がカラーである場合は、現像剤像形成部２２Ｙ、２２Ｍ、２２Ｙに対応する転写部が被転写部材にコンタクトして加わり、現像剤像形成部２２Ｙ、２２Ｍ、２２Ｙ、２２Ｋが用いられる。次の記録媒体３に金が用いられる場合は、現像剤像形成部２２Ｇが加わり、さらに次の記録媒体４に銀が用いられる場合は、現像剤像形成部２２Ｓが加わる。ジョブ２が終了してジョブ３が開始される場合は、一端リセットされ、ジョブ２の最初の記録媒体１がカラーの場合は、現像剤像形成部２２Ｙ、２２Ｍ、２２Ｙ、２２Ｋに対応する転写部が被転写部材にコンタクトし、現像剤像形成部２２Ｙ、２２Ｍ、２２Ｙ、２２Ｋが用いられる。次の記録媒体２がカラーの場合は、コンタクト動作は必要がない。次の記録媒体３に金が用いられる場合は、現像剤像形成部２２Ｇが加わる。
【００５９】
このように第２制御状態においては、記録媒体毎にどの転写部を被転写部材に接触させるか（どの転写部を被転写部に接触させないか）を判断するので、消耗品の消費が抑制される一方、生産性が落ちることになる。
【００６０】
なお、上記実施形態においては、先の記録媒体に使用する現像剤色と次の記録媒体に使用する現像剤色との論理和によりコンタクトさせる転写部を決定しているが、これに限定されるものではない。例えば先の記録媒体がカラーで、次の記録媒体が白黒の場合は、現像剤像２２Ｙ、２２Ｍ、２２Ｃをリトラクトするようにしてもよい。また、特殊色（ここでは金又は銀）を使用する場合のみ、コンタクト、リトラクトの動作をさせるようにしてもよい。
【００６１】
図６に戻り、ステップＳ１２において、「オン（速度優先）」に設定されたと判定された場合は、ステップＳ１８に進み、第３制御状態に設定する。第３制御状態は、連続して印刷すべき複数のジョブに渡って転写部を被転写部材から離すか否かを制御するモードである。
【００６２】
図８は、第３制御状態の例を示す。
なお、図６と同様に、+記号がある箇所が転写部を被転写部材に接触させる動作のある箇所である。
【００６３】
図８（ａ）に示すように、シングルジョブ（受け付けたジョブが１つ）の場合は、第１制御状態と同様に、ジョブに使用される現像剤色に対応する転写部を被転写部に接触させる。
【００６４】
図８（ｂ）に示すように、マルチジョブ（受け付けたジョブが複数）の場合は、各ジョブに使用される現像剤色の論理和を取って使用される現像剤像形成部が決定される。ここでは、ジョブ１又はジョブ２のいずれかに金及び銀を使用するとした場合、ジョブ１を開始する前に現像剤像形成部２２Ｙ、２２Ｍ、２２Ｃ、２２Ｋ、２２Ｇ、２２Ｓに対応する転写部を被転写部材にコンタクトさせ、ジョブ２でもそのままの状態に固定する。
【００６５】
このように第３制御状態においては、複数のジョブに渡ってどの転写部を被転写部から離すか（どの転写部を被転写部に接触させないか）を判断するので、「オフ（標準）」と比較して、生産性が良い代わり、消耗品の消費が大きくなる。
【００６６】
なお、上記実施形態においては、各ジョブに使用される現像剤色の論理和を取ったが、これに限定されない。例えば銀を含まない場合であっても銀に対応する転写部は被転写部に接触させておいてもよい。
【００６７】
ステップＳ１４、Ｓ１６、Ｓ１８により制御状態が設定されると、次のステップＳ２０に進み、設定された制御状態で画像形成装置本体が制御されるように、画像形成装置本体に指示する。
【００６８】
図９は、第２制御状態（生産性オフ）の制御フローを示す。
【００６９】
まずステップＳ２２において、先に印刷すべき記録媒体に使用される現像剤像形成部の使用状態を取得する。この使用状態をＣとおく。Ｃの初期値は０（白紙）とする。
【００７０】
次のステップＳ２４においては、記録媒体両面の使用状態を取得し、表と裏とのＣの論理和Ｘを取得する。
【００７１】
次のステップＳ２６においては、Ｘが白紙であるか否かを判定する。Ｘが白紙であるとは、先に印刷すべき記録媒体が無く、当該記録媒体が白紙であることを意味している。
【００７２】
このステップＳ２６において、Ｘが白紙であると判定された場合は、ステップＳ２８に進み、ジョブで指定される現像剤像形成部を使用する。一方、Ｘが白紙では無い、即ち、先に印刷すべき記録媒体が有って、先に印刷すべき記録媒体が白ではない、又は当該記録媒体が白ではない場合は、ステップＳ３０へ進む。ステップＳ３０においては、Ｘで設定されている現像剤像形成部を使用する。
【００７３】
ステップＳ２８又はＳ３０の処理を終了すると、ステップＳ３２に進み、ＣにＸを設定し、処理を終了する。
【００７４】
図１０は、第３制御状態（生産性オン（速度優先））の制御フローを示す。
【００７５】
まずステップＳ３４において、マルチジョブであるか否かを判定する。ステップＳ３４において、マルチジョブではない、即ち、シングルジョブであると判定された場合はステップＳ３６へ進み、ジョブで使用される現像剤像形成部を使用する。
【００７６】
一方、ステップＳ３４において、マルチジョブであると判定された場合は、ステップＳ３８へ進み、先に印刷すべき現像剤像形成部の使用状態Ｄを取得する。Ｄの初期値はＮＵＬＬである。
【００７７】
次のステップＳ４０においては、先のジョブで印刷すべき使用状態Ｄと、当該ジョブで印刷すべき使用状態との論理和に従った現像剤像形成部を使用する。
【００７８】
ステップＳ３６又はＳ４０の処理を終了すると、次のステップＳ４２に進み、ジョブの現像剤形成部の使用状態をＤに設定し、処理を終了する。
【００７９】
なお、上記実施形態においては、画像形成装置の現像剤色は、特殊色として金、銀を用いて合計６色としたが、本発明は、これに限定されず、さらに透明、白を追加することができる。また、制御装置として、画像形成装置本体とは別体のサーバを用いたが、本発明はこれに限定されず、画像形成装置本体と制御装置を一体にしてもよい。
【符号の説明】
【００８０】
１０    画像形成装置
１２    制御装置
１４    画像形成装置本体
１６    操作表示部
１８    被転写部材
２２Ｇ，２２Ｙ，２２Ｍ，２２Ｃ，２２Ｋ，２２Ｓ    現像剤像形成部
２８    転写部
【図１】
2019035898.tif 000003
【図２】
2019035898.tif 000004
【図３】
2019035898.tif 000005
【図４】
2019035898.tif 000006
【図５】
2019035898.tif 000007
【図６】
2019035898.tif 000008
【図７】
2019035898.tif 000009
【図８】
2019035898.tif 000010
【図９】
2019035898.tif 000011
【図１０】
2019035898.tif 000012